(57)【要約】【課題】　前処理体及び整畦体による整畦と同時に畦の裾部に排水溝を形成する。【解決手段】　走行機体の後部に装着され、この走行機体から動力を受け、元畦の一部及び圃場を耕耘して元畦側に畦状に盛り上げる前処理体５、及びこの前処理体５により耕耘された土壌を回転しながら畦に成形するドラム状の整畦体１０を備えた畦塗り機１であって、前処理体５及び整畦体１０による畦成形と同時に、形成された畦の裾部に溝を形成する溝切り装置１３を設けた。溝切り装置１３は、前処理体５及び整畦体１０の後方において、整畦体のドラム１１の内端部に接近して、前処理体５により耕耘された耕耘跡を填圧して畦の裾部に溝を形成する溝整形ローラ１４を上下調節可能に設けた。【選択図】図１
2004097231.tif 000002
【特許請求の範囲】
【請求項１】
　走行機体の後部に装着され、該走行機体から動力を受け、元畦の一部及び圃場を耕耘して元畦側に畦状に盛り上げる前処理体、及びこの前処理体により耕耘された土壌を回転しながら畦に成形するドラム状の整畦体を備えた畦塗り機において、
　上記前処理体及び整畦体による畦成形と同時に、形成された畦の裾部に溝を形成する溝切り装置を設けたことを特徴とする畦塗り機。
【請求項２】
　上記溝切り装置は、前処理体及び整畦体の後方において、整畦体のドラムの内端部に接近して、前処理体により耕耘された耕耘跡を填圧して畦の裾部に溝を形成する溝整形ローラを上下調節可能に設けたことを特徴とする請求項１記載の畦塗り機。
【発明の詳細な説明】
【技術分野】
【０００１】
本発明は、走行機体の後部に装着され、該走行機体から動力を受けて駆動する前処理体及び整畦体を備え、前処理体及び整畦体による整畦と同時に畦の裾部に溝を形成する畦塗り機に関する。
【背景技術】
【０００２】
　従来、走行機体の後部に装着され、該走行機体から動力を受け、元畦の一部及び圃場を耕耘して元畦側に畦状に盛り上げる前処理体、及びこの前処理体により耕耘された土壌を回転しながら畦に成形するドラム状の整畦体を備えた畦塗り機が、特許文献１により周知である。
【０００３】
【特許文献１】特開平１０−３０４７０６号
【発明の開示】
【発明が解決しようとする課題】
【０００４】
　上記畦塗り機による整畦作業は、春先に行われる圃場の耕耘・代掻作業の前、あるいは圃場に湛水する前に行われるのが一般的であるが、整畦作業−耕耘・代掻作業−田植作業の連続作業を、短期間に集中して行わなければならないので、農家は多忙をきわめる。そこで、稲を収穫して後、秋から冬にかけての農閑期に整畦作業を済ませておく地域、作業体系がある。この場合、圃場は排水しておいて、土壌を乾燥させること（乾土効果）が望ましく、このため、整畦後に畦の内側に溝切り専用機を用いて排水溝を形成して、圃場の排水性が良好となるようにしている。
【０００５】
　上記のように、畦塗り機による整畦作業とは別に、溝切り専用機により排水溝を形成する作業を行っているので、畦塗り機と溝切り専用機を必要とするばかりでなく、畦塗り機による整畦作業と、溝切り専用機による排水溝形成作業を２行程に行う手間を必要とする、といった問題点があった。本発明は、このような問題点を解決することを目的になされたものである。
【課題を解決するための手段】
【０００６】
　上記の目的を達成するために本発明は、
Ａ．走行機体の後部に装着され、該走行機体から動力を受け、元畦の一部及び圃場を耕耘して元畦側に畦状に盛り上げる前処理体、及びこの前処理体により耕耘された土壌を回転しながら畦に成形するドラム状の整畦体を備えた畦塗り機において、
　上記前処理体及び整畦体による畦成形と同時に、形成された畦の裾部に溝を形成する溝切り装置を設けたことを特徴とする。
Ｂ．上記溝切り装置は、前処理体及び整畦体の後方において、整畦体のドラムの内端部に接近して、前処理体により耕耘された耕耘跡を填圧して畦の裾部に溝を形成する溝整形ローラを上下調節可能に設けたことを特徴とする。
【発明の効果】
【０００７】
イ．前記Ａ．の構成により、前処理体及び整畦体による畦成形と同時に、形成された畦の裾部に溝を形成する溝切り装置を設けたので、前処理体により耕耘された土壌を整畦体が回転しながら整畦し、この整畦と同時に畦の裾部に溝切り装置によって所定形状の溝を形成することができる。
ロ．溝切り装置は、前処理体及び整畦体の後方において、整畦体のドラムの内端部に接近して、前処理体により耕耘された耕耘跡を填圧して畦の裾部に溝を形成する溝整形ローラを上下調節可能に設けたので、前処理体により耕耘された土壌を整畦体が回転しながら整畦し、この整畦と同時に前処理体による耕耘跡を上下調節された溝整形ローラにより填圧して、畦の裾部に所定幅及び深さの溝を崩れにくい状態に形成することができる。
【発明を実施するための最良の形態】
【０００８】
　以下、本発明を実施するための最良の形態について、添付の図面を参照しながら具体的に説明する。
【０００９】
　図１及び図２に示す第１実施例において、符号１は図示しないトラクタの後部に設けられたトップリンク及びロアリンクからなる三点リンク連結機構に連結されて、整畦作業を行う畦塗り機である。この畦塗り機１は、図示しない前部フレームに、前方に向け突出し、トラクタのＰＴＯ軸からユニバーサルジョイント及び伝動軸を介して動力を受ける入力軸を有する入力部を設け、また、上方に突出するトップリンク連結部を設けると共に、左右にロアリンク連結部を設け、トラクタの三点リンク連結機構に連結するようにしている。
【００１０】
　上記入力部から後方に突出した出力軸（図示せず）から、両端にユニバーサルジョイントを装着した伝動軸を介して、本体フレームを兼ねる伝動フレーム２の前側に突出した入力軸３に動力が伝達される。この伝動フレーム２の一側から、前処理体伝動ケース４を介して元畦の一部及び圃場を耕耘して畦状に盛り上げるロータリ耕耘装置からなる前処理体５の耕耘軸６に動力が伝達される。耕耘軸６の軸周には、放射方向に多数の耕耘爪７が取付けられている。
【００１１】
　前処理体５の後方に位置して、前処理体５により耕耘された土壌を畦に成形する多角円錐状ドラム１１からなる整畦体１０が偏心回転するように設けられ、その回転軸９に、伝動フレーム２から整畦体伝動ケース８を介して動力が伝達される。整畦体１０の回転中心部の外側部には、水平筒状体１２が一体的に連結されて設けられ、多角円錐状ドラム１１と共に回転して、多角円錐状ドラム１１により成形された畦の頂部を平らに成形するようにしている。なお、上記耕耘軸６及び回転軸９は、機体の進行方向に対してほぼ直交する方向に延びているが、これらの軸方向を変更可能にしてもよく、また、前処理体５、整畦体１０及び後述する溝切り装置１３、ゲージホイール１６等をトラクタからの左右オフセット量を調節可能にしてもよいものである。また、前処理体５の後方には、耕耘されて放擲される土壌を元畦の方向に案内する土壌案内板が設けられている。
【００１２】
　前処理体５及び整畦体１０の後方で、整畦体１０の多角円錐ドラム１１の内端部に接近して、前処理体５及び整畦体１０による畦成形と同時に、形成された畦の裾部に溝を形成する溝切り装置１３を設けている。この溝切り装置１３は、前処理体５により耕耘された耕耘跡を填圧して畦の裾部に溝を形成する溝整形ローラ１４を、上下調節装置１５により軸支し、上下調節装置１５によって上下調節可能にしている。この溝切り装置１３は、自転ばかりでなく、強制駆動回転する構成にしてもよい。
【００１３】
　伝動ケース９の他側（図面で左側）には、三角ディスク状のゲージホイール１６が上下調節装置１７により上下調節可能に支持されている。このゲージホイール１６は、上下調節装置１７により上下調節することにより、畦塗り機１の接地高さが調節され、前処理体５、整畦体１０及び溝切り装置１３の作用深さが調節されて、形成される畦の高さ、溝の深さを変えることができる。また、整畦体１０は、その伝動ケース８の基部が上下方向に回動可能になっており、上下調節装置１８により上下調節することによって、整畦体１０の作用高さが調節可能となっている。
【００１４】
　このような構成の第１実施例の畦塗り機１においては、トラクタの後部に三点リンク連結機構を介して連結され、トラクタから入力部に動力を受けて伝動軸を介して入力軸３に伝達され、伝動フレーム２から伝動ケース４及び８を介して前処理体５及び整畦体１０を駆動してトラクタの走行と共に整畦作業を行うと同時に、溝切り装置１３により排水溝が畦の裾部に形成される。整畦体１０及び溝整形ローラ１４においては、予め上下調整装置１５，１８により上下調節しておくが、前処理体５、整畦体１０及び溝切り装置１３等の全体の作用深さを調節するときは、上下調節装置１７によりゲージホイール１６を上下調節することにより行う。
【００１５】
　前処理体５では元畦の一部及び圃場を耕耘して土壌案内板により元畦側に対して畦状に盛り上げ、その盛り上げられた土壌を整畦体１０が回転してその多角円錐状ドラム１１によって畦法面を叩いて目的とする畦に成形する。この畦に成形と同時に、畦の裾部に溝整形ローラ１４によって、前処理体５により耕耘された土壌を填圧して所定幅及び深さの排水溝が形成される。この排水溝は、圃場内の水を圃場外に排出するのに用いられ、土壌を乾燥して乾土効果を高める。
【００１６】
　図３及び図４に示す本発明の第２実施例のものでは、溝切り装置１３を、前処理体５及び整畦体１０の後方において、整畦体１０の多角円錐ドラム１１の内端部に対向して、前処理体５により耕耘された耕耘跡を下方に切削するコールタ１９を上下調整装置１５に軸支して設け、このコールタ１９と多角円錐ドラム１１の内端部との間の土壌を外側に排出して畦の裾部に溝を形成する排土板２０を設けている。そして、前処理体５により耕耘された土壌を整畦体１０が回転しながら整畦し、この整畦と同時にコールタ１９によって前処理体５により耕耘された耕耘跡を下方に切削し、このコールタ１９による切削位置と多角円錐ドラム１１の内端部との間の土壌を排土板２０により外側に排出して畦の裾部に排水溝を形成する。
【００１７】
　図５及び図６に示す本発明の第３実施例のものでは、溝切り装置１３を、前処理体５及び整畦体１０の後方において、整畦体１０の多角円錐ドラム１１に近接して、多角円錐ドラム１１により整形された畦の基部（裾部）を填圧する填圧ローラ２１を上下調整装置１５に軸支して設けると共に、この填圧ローラ２１の内側の前処理体５により耕耘された土壌を排出して畦の裾部に溝を形成する排土板２２を設けている。そして、前処理体５により耕耘された土壌を整畦体１０が回転しながら整畦し、この整畦と同時に整形された畦の基部を填圧ローラ２１により填圧し、この填圧ローラ２１による填圧位置の内側の土壌を排土板２２により排出して畦の裾部に排水溝を形成する。
【産業上の利用可能性】
【００１８】
　本発明の畦塗り機により、前処理体及び整畦体による整畦と同時に畦の裾部に排水溝を形成して、水田圃場の排水性を良好にし、水田圃場の乾土効果を促進する。
【図面の簡単な説明】
【００１９】
【図１】本発明による畦塗り機の第１実施例の背面図である。
【図２】同平面図である。
【図３】本発明による畦塗り機の第２実施例の背面図である。
【図４】同平面図である。
【図５】本発明による畦塗り機の第３実施例の背面図である。
【図６】同平面図である。
【符号の説明】
【００２０】
　１　　畦塗り機
　２　　伝動フレーム（本体フレーム）
　３　　入力軸
　４　　前処理体伝動ケース
　５　　前処理体
　６　　耕耘軸
　７　　耕耘爪
　８　　整畦体伝動ケース
　９　　回転軸
　１０　整畦体
　１１　多角円錐状ドラム
　１２　水平筒状体
　１３　溝切り装置
　１４　溝整形ローラ
　１５，１７，１８　上下調整装置
　１６　ゲージホイール
　１９　コールタ
　２０，２２　排土板
　２１　填圧ローラ
【図１】
2004097231.tif 000003
【図２】
2004097231.tif 000004
【図３】
2004097231.tif 000005
【図４】
2004097231.tif 000006
【図５】
2004097231.tif 000007
【図６】
2004097231.tif 000008